(57)【要約】【課題】従来の水栓においてキッチンキャビネット内に水受けトレイを設置する場合は、コスト高になるばかりか、水を定期的に捨てる作業が発生することになりメンテ性に劣るという欠点があった。そこで本発明は、シャワーヘッドに接続されたホースを伝ったり、ホースの溝部に溜まった水を確実に防止することができる水栓を提供する。【解決手段】吐水部の基端を抜き差し自在な筒状の保持部を有する水栓本体と、前記吐水部の基端に接続したホースを給水源側に接続する水栓であって、前記水栓本体内に水切部材を具備し、前記水切部材の下部に位置する水栓本体に水流出用の開口部を有する構造とした。【選択図】図１
2004060407.tif 000002
【特許請求の範囲】
【請求項１】
吐水部の基端を抜き差し自在な筒状の保持部を有する水栓本体と、前記吐水部の基端に接続したホースを給水源側に接続する水栓であって、前記水栓本体内に水切部材を具備し、前記水切部材の下部に位置する水栓本体に水流出用の開口部を有することを特徴とするホース引出し可能な水栓における水浸入防止構造。
【請求項２】
前記水切部材は支持壁を有する円筒形状を呈し、その内面のホースと接触する部分を台形形状としたことを特徴とする請求項１記載のホース引出し可能な水栓における水浸入防止構造。
【請求項３】
前記水切部材を筒状の保持部の裏面に当接するよう設置したことを特徴とする請求項１から２記載のホース引出し可能な水栓における水浸入防止構造。
【請求項４】
前記水切部材を筒状の保持部と一体的に構成したことを特徴とする請求項１から３記載のホース引出し可能な水栓における水浸入防止構造。
【発明の詳細な説明】
【０００１】
【産業上の利用分野】
本発明は、例えばキッチンのシンク上の台座に設けられる水栓本体に対して抜き差しして使用するようにしたシャワーヘッド及びホースを備えた水栓に係り、特にホースを伝う水や使用中に浴びる水が水栓本体側への浸入を防止できるようにした構造に関する。
【０００２】
【従来の技術】
従来、水栓本体に対してシャワーヘッドとホースとを抜き差しして使用するように構成した水栓としては、数多くの水栓が提案されているが、最近では特開２００１−３１１１８７が提案されている。
通常、この種の水栓の水浸入構造としては、水栓本体の先端部に設けた円筒状の保持部で水切を行うようにしている。しかしながら、保持部でも水切は完全ではないため、つまり、ホースの溝部に溜まった水は保持部だけでは完全な水切は望めないため、キッチンキャビネット内に別途、水受けトレイを設置したり、最近では水栓本体内に水分を吸収する弾性体を設置するものも提案されている。
【０００３】
【発明が解決しようとする課題】
上述の如く、従来の水栓においてキッチンキャビネット内に水受けトレイを設置する場合は、コスト高になるばかりか、水を定期的に捨てる作業が発生することになりメンテ性に劣るという欠点がある。
また、水栓本体内に水分を吸収する弾性体を設置するものは、水栓を設置した初期では、キッチンキャビネット内への水の滴りを防止することは可能であるが、水栓の使用時間の経過とともに、弾性体が劣化するため、キッチンキャビネット内に水が滴ることになり、キッチンキャビネット内の品物へ悪影響を及ぼす場合がある。
本発明は、上記課題を解決するためになされたもので、本発明の目的は、シャワーヘッドに接続されたホースを伝ったり、ホースの溝部に溜まった水を確実に防止することができる水栓を提供することにある。
【０００４】
【課題を解決するための手段】
上記目的を達成するために、請求項１では、吐水部の基端を抜き差し自在な筒状の保持部を有する水栓本体と、前記吐水部の基端に接続したホースを給水源側に接続する水栓であって、前記水栓本体内に水切部材を具備し、前記水切部材の下部に位置する水栓本体に水流出用の開口部を有する構造とした。
これにより、保持部で水切が十分でなく、ホースの溝部に水が溜まった場合でもホースが水切部材を摺動する時に、水栓本体内の水切部材で水滴を削ぎ落とすことができ、その水滴は水栓本体下部に設けた開口部から滴下することになる。そのため、別途、キッチンキャビネット内に水受けトレイを設ける必要が無いためコスト高になることがなく、安価な水栓を提供することが可能となる。
また、水栓本体内に設けた水切部材は水分を吸収する弾性体ではないので、経年変化で劣化することもなく、永久的に水切の効果を奏する。
【０００５】
また、請求項２では、水切部材は支持壁を有する円筒形状を呈し、その内面のホースと接触する部分を台形形状としたことに特徴を有する。
これにより、ホースが水切部材端部を摺動する時にホースに接する水切面がホース表面を伝わる水滴を削ぎ落とすことが可能となるので、別途、キッチンキャビネット内に水受けトレイを設ける必要が無いためコスト高になることがなく、安価が水栓を提供することが可能となる。
【０００６】
さらに、請求項３では、水切部材を筒状の保持部の裏面に当接するよう設置したことにも特徴を有する。
これにより、ホースを伝わる水滴があった場合でも、水栓本体のホース入口端部で水滴を水栓本体外に排出することが可能となるので、水栓本体内が錆びたりすることがなくなる。
【０００７】
さらに、請求項４では、水切部材を筒状の保持部と一体的に構成したことにも特徴とする。
これにより、水栓の組み立て時の効率を向上させることが可能になる。
【０００８】
【発明の実施の形態】
本発明の実施形態について図面を参照しながら詳細に説明する。
図１は、本発明の実施の形態における一部断面図である。図２は本発明の実施の形態における略断面斜視図である。図示はしないが水栓本体１の水栓本体基端部５はキッチンシンク上の台座４に設置されており、ホース２に接続された吐水部であるシャワーヘッド３が水栓本体１から引き出し自在に構成されている。
【０００９】
また、ホース２は金属製で蛇腹状に形成され、水栓本体１内を摺動可能となるように柔軟性を持たせている。なお、シャワーヘッド３の先端部には吐水形態を変更、つまりシャワー吐水と整流吐水とを切替える吐水切替機構部６が設置されている。
【００１０】
図１において、水栓本体１の先端部７にはシャワーヘッド３を嵌合するための保持部８が挿通されており、さらに、水栓本体１の先端部７の上部にはシャワーヘッド３の位置決めのための差込凸部９が周方向に形成されている。これにより使用者は水栓本体１にシャワーヘッド３を固定する際、正確にシャワーヘッド３を保持させることが可能となるのである。つまり、使用者が仮に吐水切替機構部６を上向きにして保持部８に保持させようとしても、シャワーヘッド３の基端の嵌合部１０と差込凸部９とが嵌合できないのである。
【００１１】
通常のシャワーヘッド３が引き出し可能な水栓では、保持部８の保持部材先端部１１でホース表面の水滴を滴下するよう構成しているが、完全でないのは、上述の通りである。従って、本発明では保持部８と当接する位置、つまり水栓本体１の先端部７付近に新たに水切部材１２を設置したのである。水切部材１２は保持部８と同様に円筒形状を呈しており、周囲は支持壁１３で保持されている。支持壁１３間は開口１４となっているため、水切部材１２で削り取られた水滴は開口１４を通過し、水栓本体１の下面の開口部１５から滴下することになる。なお、本実施例において、支持壁は９０度間隔で４本で構成しているが、開口１４を有し、同様の効果を奏する形状であれば、本数および形状については不問である。
【００１２】
水切部材１２は、端部を台形形状に形成している。従って、ホース２が摺動する形状が鋭角となっているため、容易にホース２表面の水滴を削ぎ取ることができるのである。今回の実施例において水切部材は樹脂製であり、円筒形状の端部を台形形状としたが、当該材質および形状だけではなく、同様の水切効果を奏するものであれば、形状および材質についても特に限定する必要がないのは云うまでもないことである。なお、図中１６はシャワーヘッド３とホース２とを接合するための螺子、１７は保持部８の保持部先端部１１に設けられた嵌合凸部である。つまり、使用者がシャワーヘッド３を保持部８に挿通する場合、クリック感を得ることができるよう構成したものである。
【００１３】
図３は本発明の実施の形態における要部の分解斜視図である。図３を用いて本発明の水切部材１２の組み立て方法を簡単に説明する。
まず、水栓本体１の先端部７の開口から水切部材１２を挿通し、内壁部１８に係合する。次に保持部８も水切部材１２と同様に、水栓本体１の先端部７の開口から挿通した後、ホース２を保持部８と水切部材１２内を貫通させ、シャワーヘッド３と接合させ、螺子１６で固定するのである。なお、本実施例においては、保持部８と水切部材１２とを別体で構成したが、一体的に構成しても何ら差し支えないことは云うまでもないことである。
【００１４】
【発明の効果】
本発明は上記構成により次の効果を発揮する。
請求項１では、吐水部の基端を抜き差し自在な筒状の保持部を有する水栓本体と、前記吐水部の基端に接続したホースを給水源側に接続する水栓であって、前記水栓本体内に水切部材を具備し、前記水切部材の下部に位置する水栓本体に水流出用の開口部を有する構造とした。
これにより、保持部で水切が十分でなく、ホースの溝部に水が溜まった場合でもホースが水切部材を摺動する時に、水栓本体内の水切部材で水滴を削ぎ落とすことができ、その水滴は水栓本体下部に設けた開口部から滴下することになる。そのため、別途、キッチンキャビネット内に水受けトレイを設ける必要が無いためコスト高になることがなく、安価が水栓を提供することが可能となる。
また、水栓本体内に設けた水切部材は水分を吸収する弾性体ではないので、経年変化で劣化することもなく、永久的に水切の効果を奏する。
また、請求項２では、水切部材は支持壁を有する円筒形状を呈し、その内面のホースと接触する部分を台形形状としたに特徴を有する。
これにより、ホースが水切部材端部を摺動する時にホースに接する水切面がホース表面を伝わる水滴を削ぎ落とすことが可能となるので、別途、キッチンキャビネット内に水受けトレイを設ける必要が無いためコスト高になることがなく、安価が水栓を提供することが可能となる。
さらに、請求項３では、水切部材を筒状の保持部の裏面に当接するよう設置したことにも特徴を有する。
これにより、ホースを伝わる水滴があった場合でも、水栓本体のホース入口端部で水滴を水栓本体外に排出することが可能となるので、水栓本体内が錆びたりすることがなくなる。
さらに、請求項４では、水切部材を筒状の保持部と一体的に構成したことにも特徴とする。
これにより、水栓の組み立て時の効率を向上させることが可能になる。
【図面の簡単な説明】
【図１】本発明の実施の形態における一部断面図である。
【図２】本発明の実施の形態における略断面斜視図である。
【図３】本発明の実施の形態における要部の分解斜視図である。
【符号の説明】
１　水栓本体
２　ホース
３　シャワーヘッド
６　吐水切替機構部
７　先端部
８　保持部
９　差込凸部
１０　嵌合部
１１　保持部材先端部
１２　水切部材
１３　支持壁
１４　開口部
【図１】
2004060407.tif 000003
【図２】
2004060407.tif 000004
【図３】
2004060407.tif 000005